【手続補正書】
【提出日】平成22年10月14日(2010.10.14)
【手続補正１】
【補正対象書類名】特許請求の範囲
【補正対象項目名】全文
【補正方法】変更
【補正の内容】
【特許請求の範囲】
【請求項１】
コーティング組成物であって：
ａ）式：
ＭＭ' 
を有するシリコーンと、
〔式中、
Ｍ＝Ｒ１Ｒ２Ｒ３ＳｉＯ１／２；
Ｍ’＝Ｒ４Ｒ５Ｒ６ＳｉＯ１／２；
式中、Ｒ１は、３から６までの炭素原子の分岐の一価炭化水素ラジカルおよびＲ７からなる群から選択され、ここで、Ｒ７は、
Ｒ８Ｒ９Ｒ１０ＳｉＲ１２および（Ｒ４Ｒ５Ｒ６）ＳｉＲ１２（Ｓｉ（Ｒ２Ｒ３）ＳｉＯ１／２）
からなる群から選択され、
式中、Ｒ８、Ｒ９、およびＲ１０は、各々独立して、１から６までの炭素原子を有する一価炭化水素ラジカルおよび６から１３までの炭素原子を有するアリールまたはアルカリールの一価炭化水素ラジカルの群から選択され、そしてＲ１２は、１から３までの炭素原子を有する二価炭化水素ラジカルであり、
Ｒ２およびＲ３は、各々独立して、１から６までの炭素原子の一価炭化水素ラジカルまたはＲ１の群から選択され、式中、Ｒ４は：
Ｒ１３（Ｃ２Ｈ４Ｏ）ａ（Ｃ３Ｈ６Ｏ）ｂ（Ｃ４Ｈ８Ｏ）ｃＲ１４および
Ｒ１２ＳｉＲ４Ｒ５（Ｒ１３（Ｃ２Ｈ４Ｏ）ａ（Ｃ３Ｈ６Ｏ）ｂ（Ｃ４Ｈ８Ｏ）ｃＲ１４）
からなる群から選択されるアルキルポリアルキレンオキシドを有する置換基であり、
式中、Ｒ１３は、構造：
−ＣＨ２−ＣＨ（Ｒ１５）（Ｒ１６）ｄＯ−
を有する直鎖または分岐の二価炭化水素ラジカルであり、
式中、Ｒ１５は、Ｈまたはメチルであり；Ｒ１６は、１から６までの炭素の二価アルキルラジカルであり、ここで、下付き文字ｄは０または１であってよく；
Ｒ１４は、Ｈ、１から６までの炭素原子の一価炭化水素ラジカル、およびアセチルからなる群から選択され、ここで、下付き文字ａ、ｂ、およびｃは、ゼロまたは正数であり、そして次の関係を満たす：
２≦ａ＋ｂ＋ｃ≦２０、式中、ａ≧２である、
そして、Ｒ５およびＲ６は、各々独立して、１から６までの炭素原子を有する一価炭化水素ラジカルまたはＲ４の群から選択される〕、
ｂ）少なくとも一つのコーティング樹脂と、
〔ここで、組成物は加水分解に対する高められた耐性を示す〕
を含有する、コーティング組成物。
【請求項２】
Ｒ１がｉｓｏ−プロピル、ｉｓｏ−ブチルおよびｔｅｒｔ−ブチルからなる群より選択される、請求項１に記載のコーティング組成物。
【請求項３】
Ｒ１がＲ７であり、そしてＲ７が式：Ｒ８Ｒ９Ｒ１０ＳｉＲ１２を有し、式中、Ｒ８、Ｒ９、およびＲ１０は、各々メチルであり、そしてＲ１２は、二つの炭素原子を有する二価炭化水素ラジカルである、請求項１に記載のコーティング組成物。
【請求項４】
Ｒ１５が水素である、請求項１〜３のいずれかに記載のコーティング組成物。
【請求項５】
Ｒ２がメチルである、請求項１〜３のいずれかに記載のコーティング組成物。
【請求項６】
不連続相が水を含有し、そして連続相が請求項１に記載の組成物を含有する、水性エマルション。
【請求項７】
連続相が水を含有し、そして不連続相が請求項１に記載の組成物を含有する、水性エマルション。
【請求項８】
不連続相が非水性ヒドロキシル溶媒を含有し、そして連続相が請求項１に記載の組成物を含有する、非水性エマルション。
【請求項９】
連続相が非水性ヒドロキシル溶媒を含有し、そして不連続相が請求項１に記載の組成物を含有する、非水性エマルション。
【請求項１０】
前記コーティング樹脂が、ポリエステル、アクリル、エポキシ、ポリウレタン、アルキド、塩素化ポリオレフィン、ポリビニリデンフルオリド、ウレタン−ポリエステル共重合体、スチレン−ブタジエン共重合体、アクリル−ウレタン共重合体、ＰＶＣ、エポキシエステル、エポキシ−アミノ、エポキシ−フェノール、フェノール、スチレン−アクリル、エポキシアクリル、ウレタン−アクリル、シリコーン、アクリル−ポリエステル、エポキシ−ポリアミド、フルオロ重合体、ポリビニルアセタート、ビニル−アクリル、シリコーン−アクリル、ビニルアセタート−エチレン、スチレン−アクリル、炭化水素、ビニルアセタート−アクリル、およびシラン系からなる群から選択される少なくとも一つである、請求項１に記載のコーティング組成物。
【請求項１１】
アルコキシラート、エトキシラート、エチレンオキシドのブロック共重合体、エチレンオキシドの共重合体、プロピレンオキシドの共重合体、ブチレンオキシドの共重合体、アルキルフェノールエトキシラート、アルキルフェノールプロポキシラート、アリールアリールアルコキシラート、アミンアルコキシラート、アミンエトキシラート、脂肪酸アルコキシラート、脂肪アルコールアルコキシラート、アルキルスルホナート、アルキルベンゼンスルホナート、アルキルナフタレンスルホナート、硫酸化脂肪アルコール、硫酸化脂肪アルコール、硫酸化脂肪アミン、硫酸化脂肪酸アミド、イセチオン酸ナトリウムの酸エステル、スルホコハク酸ナトリウムのエステル、硫酸化脂肪酸エステル、スルホン化脂肪酸エステル、石油スルホナート、Ｎ−アシルサルコシナート、アルキルポリグリコシド、アルキルエトキシ化アミン、アルキルアセチレンジオール、ピロリドン系界面活性剤、硫酸２−エチルヘキシル、イソデシルアルコールエトキシラート、エチレンジアミンアルコキシラート、エチレンオキシド／プロピレンオキシド共重合体、ジフェニルエーテルジェミニ型界面活性剤、エチレンオキシド／プロピレンオキシド共重合体、アミンエトキシラート、アルキルポリグリコシド、およびオキソ−トリデシルアルコールエトキシラートからなる群から選択される少なくとも一つの共界面活性剤をさらに含有する、請求項１に記載のコーティング組成物。
【請求項１２】
前記シリコーンが、全組成物の約０．０１から約５重量パーセントまでの量で存在する、請求項１に記載のコーティング組成物。
【請求項１３】
前記シリコーンが、全組成物の約０．０５から約２重量パーセントまでの量で存在する、請求項１に記載のコーティング組成物。
【請求項１４】
前記シリコーンが、全組成物の約０．０１から１重量パーセントまでの量で存在する、請求項１に記載のコーティング組成物。
【請求項１５】
前記シリコーンが存在しない組成物と比較して、高められた湿潤、流動、および平滑を示す、請求項１に記載のコーティング組成物。
【請求項１６】
請求項１に記載のコーティング組成物により塗布された基質。
【請求項１７】
印刷インク組成物であって：
ａ）一般式：
ＭＭ’ 
を有するシリコーンと、
〔式中、
Ｍ＝Ｒ１Ｒ２Ｒ３ＳｉＯ１／２；
Ｍ’＝Ｒ４Ｒ５Ｒ６ＳｉＯ１／２；
式中、Ｒ１は、３から６までの炭素原子の分岐の一価炭化水素ラジカルおよびＲ７からなる群から選択され、ここで、Ｒ７は
Ｒ８Ｒ９Ｒ１０ＳｉＲ１２および（Ｒ４Ｒ５Ｒ６）ＳｉＲ１２（Ｓｉ（Ｒ２Ｒ３）ＳｉＯ１／２）
からなる群から選択され、
式中、Ｒ８、Ｒ９、およびＲ１０は、各々独立して、１から６までの炭素原子を有する一価炭化水素ラジカルおよび６から１３までの炭素原子を有するアリールまたはアルカリールの一価炭化水素ラジカルの群から選択され、そしてＲ１２は、１から３までの炭素原子を有する二価炭化水素ラジカルであり、
Ｒ２およびＲ３は、各々独立して、１から６までの炭素原子の一価炭化水素ラジカルまたはＲ１の群から選択され、式中、Ｒ４は：
Ｒ１３（Ｃ２Ｈ４Ｏ）ａ（Ｃ３Ｈ６Ｏ）ｂ（Ｃ４Ｈ８Ｏ）ｃＲ１４および
Ｒ１２ＳｉＲ４Ｒ５（Ｒ１３（Ｃ２Ｈ４Ｏ）ａ（Ｃ３Ｈ６Ｏ）ｂ（Ｃ４Ｈ８Ｏ）ｃＲ１４）
からなる群から選択されるアルキルポリアルキレンオキシドを有する置換基であり、
式中、Ｒ１３は、構造：
−ＣＨ２−ＣＨ（Ｒ１５）（Ｒ１６）ｄＯ−
を有する直鎖または分岐の二価炭化水素ラジカルであり、
式中、Ｒ１５は、Ｈまたはメチルであり；Ｒ１６は、下付き文字ｄが０または１であってよい１から６までの炭素の二価アルキルラジカルであり；
Ｒ１４は、Ｈ、１から６までの炭素原子の一価炭化水素ラジカル、およびアセチルからなる群から選択され、下付き文字ａ、ｂ、およびｃは、ゼロまたは正数であり、そして次の関係を満たす：
２≦ａ＋ｂ＋ｃ≦２０、式中、ａ≧２
そして、Ｒ５およびＲ６は、各々独立して１から６までの炭素原子を有する一価炭化水素ラジカルまたはＲ４の群から選択される〕
ｂ）少なくとも一つの印刷インク樹脂と、
〔ここで、組成物は加水分解に対する高められた耐性を示す〕
を含有する印刷インク組成物。
【請求項１８】
前記印刷インク樹脂が、ポリウレタン、アクリル、ポリアクリラート、エポキシ、ポリアミド、ポリエステル、アルキド、ニトロセルロース、ケトン樹脂、マレイン酸樹脂、ポリビニルクロリド、ポリビニルブチラール、アクリルそしてスチレンアクリル、ポリアクリラート、ポリビニル、ポリアミド、エポキシアクリラート、ウレタンアクリラート、スチレンアクリル、ポリエステルアクリラート、および不飽和を有するこれらに対応する単量体からなる群から選択される少なくとも一つである、請求項１７に記載の印刷インク組成物。
【請求項１９】
Ｒ１がｉｓｏ−プロピル、ｉｓｏ−ブチルおよびｔｅｒｔ−ブチルからなる群より選択される、請求項１７に記載の印刷インク組成物。
【請求項２０】
Ｒ１がＲ７であり、そしてＲ７が式：Ｒ８Ｒ９Ｒ１０ＳｉＲ１２を有し、式中、Ｒ８、Ｒ９、およびＲ１０は、各々メチルであり、そしてＲ１２が二つの炭素原子を有する二価炭化水素ラジカルである、請求項１７に記載の印刷インク組成物。
【請求項２１】
Ｒ１５が水素である、請求項１７〜２０のいずれかに記載の印刷インク組成物。
【請求項２２】
Ｒ２がメチルである、請求項１７〜２０のいずれかに記載の印刷インク組成物。
【請求項２３】
不連続相が水を含有し、そして連続相が請求項１７に記載の組成物を含有する、水性エマルション。
【請求項２４】
連続相が水を含有し、そして不連続相が請求項１７に記載の組成物を含有する、水性エマルション。
【請求項２５】
不連続相が非水性ヒドロキシル溶媒を含有し、そして連続相が請求項１７に記載の組成物を含有する、非水性エマルション。
【請求項２６】
連続相が非水性ヒドロキシル溶媒を含有し、そして不連続相が請求項１７に記載の組成物を含有する、非水性エマルション。
【請求項２７】
アルコキシラート、エトキシラート、エチレンオキシドのブロック共重合体、エチレンオキシドの共重合体、プロピレンオキシドの共重合体、ブチレンオキシドの共重合体、アルキルフェノールエトキシラート、アルキルフェノールプロポキシラート、アリールアリールアルコキシラート、アミンアルコキシラート、アミンエトキシラート、脂肪酸アルコキシラート、脂肪アルコールアルコキシラート、アルキルスルホナート、アルキルベンゼンスルホナート、アルキルナフタレンスルホナート、硫酸化脂肪アルコール、硫酸化脂肪アルコール、硫酸化脂肪アミン、硫酸化脂肪酸アミド、イセチオン酸ナトリウムの酸エステル、スルホコハク酸ナトリウムのエステル、硫酸化脂肪酸エステル、スルホン化脂肪酸エステル、石油スルホナート、Ｎ−アシルサルコシナート、アルキルポリグリコシド、アルキルエトキシ化アミン、アルキルアセチレンジオール、ピロリドン系界面活性剤、硫酸２−エチルヘキシル、イソデシルアルコールエトキシラート、エチレンジアミンアルコキシラート、エチレンオキシド／プロピレンオキシド共重合体、ジフェニルエーテルジェミニ型界面活性剤、エチレンオキシド／プロピレンオキシド共重合体、アミンエトキシラート、アルキルポリグリコシド、およびオキソ−トリデシルアルコールエトキシラートからなる群から選択される少なくとも一つの共界面活性剤をさらに含有する、請求項１７に記載の印刷インク組成物。
【請求項２８】
前記シリコーンが、全組成物の約０．０１から約５重量パーセントまでの量で存在する、請求項１７の印刷インク組成物。
【請求項２９】
前記シリコーンが、全組成物の約０．０５から約２重量パーセントまでの量で存在する、請求項１７の印刷インク組成物。
【請求項３０】
前記シリコーンが、全組成物の約０．０１から１重量パーセントまでの量で存在する、請求項１７の印刷インク組成物。
【請求項３１】
前記シリコーンが存在しない組成物と比較して、高められた湿潤、流動、および平滑を示す、請求項１７の印刷インク組成物。